(57)【特許請求の範囲】
【請求項１】
装着位置に装着されたロール紙を給紙方向と戻し方向とへ搬送する正逆転自在なロール紙搬送手段と、このロール紙搬送手段の正転により給紙方向に搬送されたロール紙を切断するカッタと、ロール紙の給紙方向に沿った前記カッタより上流側に配置されてロール紙の装着時にロール紙の先端部を切断するスリッタとを備えた給紙装置において、前記スリッタの熱慣性を前記カッタより小さくし、前記カッタでロール紙を切断した後に前記ロール紙搬送手段を逆転させることによりこのロール紙を戻し方向へ搬送してこのロール紙の切断部を前記カッタから所定寸法離反した位置であって前記スリッタより僅かに上流側となる位置に位置させるようにしたことを特徴とする給紙装置。
【請求項２】
複数の装着位置に装着された複数のロール紙をそれぞれ個別に給紙方向と戻し方向とへ搬送する正逆転自在な複数のロール紙搬送手段と、これらのロール紙搬送手段の正転により給紙方向に搬送される各ロール紙が搬送される共用搬送経路と、この共用搬送経路の途中に位置してロール紙を切断するカッタと、ロール紙の給紙方向に沿った前記カッタより上流側に配置されてロール紙の装着時にロール紙の先端部を切断するスリッタとを備えた給紙装置において、前記スリッタの熱慣性を前記カッタより小さくし、前記カッタでロール紙を切断した後に前記ロール紙搬送手段を逆転させることによりこのロール紙を戻し方向へ搬送してこのロール紙の切断部を前記カッタから所定寸法離反して前記共用搬送経路から退避する位置であって前記スリッタより僅かに上流側となる位置に位置させるようにしたことを特徴とする給紙装置。」
【発明の詳細な説明】
【０００１】
【発明の属する技術分野】
本発明は、ロール紙を用いる画像形成装置の給紙装置に関する。
【０００２】
【従来の技術】
従来、ロール紙を用いる画像形成装置の給紙装置としては、特開平５−３３３６３４号公報、特開昭５９−２６８４３号公報、特開昭５９−３３４６６号公報等に開示されたものが知られている。これらの給紙装置は、ロール紙を画像形成部へ向けて給紙する正逆転自在な給紙ローラ、ロール紙を所定位置で切断するカッタ等を備えている。
【０００３】
上述した給紙装置においては、カッタで切断されたロール紙の切断部は、カッタに近接した位置で停止されたままとなっている。
【０００４】
また、特開平５−３３３６３４号公報の給紙装置では、複数のロール紙を共用搬送経路を通してカッタの位置まで搬送させており、複数のロール紙の先端部を共用搬送経路内で重なり合った状態で待機させている。
【０００５】
【発明が解決しようとする課題】
カッタは質量が大きく熱慣性が大きい。このため、電源投入によって画像形成装置内の温度を上昇させるときに、カッタの周囲の温度上昇は他の部分に比べて遅くなる。一方、電源を切った際にはカッタの周囲の温度下降は他の部分に比べて遅くなる。
【０００６】
このため、ロール紙の切断部がカッタに近接して位置すると、ロール紙の切断部近傍の温度とロール紙の他の部分とにおいて温度のバラツキを生じ、このような温度の部分的なバラツキによってロール紙の含水率が不均一となり、含水率の不均一が原因となってロール紙が波打ち状態となる。波打ち状態となったロール紙に対して画像形成を行うと、ロール紙にシワがよって画像品質が著しく悪くなる。
【０００７】
また、複数のロール紙の先端部を共用搬送経路内で重なり合わせた状態で待機させていると、１つのロール紙を搬送するときに他のロール紙と擦れ合って摩擦帯電がおき、他のロール紙に静電吸着されてジャムを生じたりロール紙の先端部が耳折れする。特に、ロール紙がフィルム紙やトレーシングペーパ等である場合には摩擦帯電が起こりやすく、静電吸着によるジャムや耳折れが起こりやすい。
【０００８】
【課題を解決するための手段】
請求項１記載の発明は、装着位置に装着されたロール紙を給紙方向と戻し方向とへ搬送する正逆転自在なロール紙搬送手段と、このロール紙搬送手段の正転により給紙方向に搬送されたロール紙を切断するカッタと、ロール紙の給紙方向に沿った前記カッタより上流側に配置されてロール紙の装着時にロール紙の先端部を切断するスリッタとを備えた給紙装置において、前記スリッタの熱慣性を前記カッタより小さくし、前記カッタでロール紙を切断した後に前記ロール紙搬送手段を逆転させることによりこのロール紙を戻し方向へ搬送してこのロール紙の切断部を前記カッタから所定寸法離反した位置であって前記スリッタより僅かに上流側となる位置に位置させるようにした。従って、電源投入後の温度上昇時や電源を切った後の温度下降時において、ロール紙の切断部側が熱慣性の大きいカッタからの熱の影響を受けなくなり、ロール紙全体が均一な温度になってロール紙全体の含水率も均一となり、含水率の不均一が原因となるロール紙の波打ちの発生が防止される。なお、スリッタはカッタに比べると熱慣性が小さいので、ロール紙の切断部をスリッタより僅かに上流側となる位置に位置させれば、スリッタからの熱の影響を受けなくなる。
【０００９】
請求項２記載の発明は、複数の装着位置に装着された複数のロール紙をそれぞれ個別に給紙方向と戻し方向とへ搬送する正逆転自在な複数のロール紙搬送手段と、これらのロール紙搬送手段の正転により給紙方向に搬送される各ロール紙が搬送される共用搬送経路と、この共用搬送経路の途中に位置してロール紙を切断するカッタと、ロール紙の給紙方向に沿った前記カッタより上流側に配置されてロール紙の装着時にロール紙の先端部を切断するスリッタとを備えた給紙装置において、前記スリッタの熱慣性を前記カッタより小さくし、前記カッタでロール紙を切断した後に前記ロール紙搬送手段を逆転させることによりこのロール紙を戻し方向へ搬送してこのロール紙の切断部を前記カッタから所定寸法離反して前記共用搬送経路から退避する位置であって前記スリッタより僅かに上流側となる位置に位置させるようにした。従って、電源投入後の温度上昇時や電源を切った後の温度下降時において、ロール紙の切断部側が熱慣性の大きいカッタからの熱の影響を受けなくなり、ロール紙全体が均一な温度になってロール紙全体の含水率も均一となり、含水率の不均一が原因となるロール紙の波打ちの発生が防止される。なお、スリッタはカッタに比べると熱慣性が小さいので、ロール紙の切断部をスリッタより僅かに上流側となる位置に位置させれば、スリッタからの熱の影響を受けなくなる。また、ロール紙の給紙時にそのロール紙が共用搬送経路内で他のロール紙と擦れ合って摩擦帯電することが起こらず、摩擦帯電したロール紙が静電吸着することが原因となるロール紙のジャムや耳折れ等が防止される。
【００１０】
【発明の実施の形態】
本発明の一実施の形態を図面に基づいて説明する。図１は画像形成装置である複写機の全体構造を示すもので、本体ケース１内の下部には上段トレイ２と下段トレイ３とが水平方向へスライド自在に収納されている。上段トレイ２内にはペーパースプール４ａ，４ｂにセットされたロール紙５ａ，５ｂが装着され、下段トレイ３内にもペーパースプール４ｃ，４ｄにセットされたロール紙５ｃ，５ｄが装着されている。これらのロール紙５ａ〜５ｄをトレイ２，３内に装着したとき、ロール紙５ａ〜５ｄの先端部をロール紙搬送手段であるフィードローラ６ａ，６ｂ，６ｃ，６ｄにより挾持する。これらのフィードローラ６ａ〜６ｄは、正逆転自在な駆動モータ（図示せず）にクラッチを介して連結されている。また、フィードローラ６ａ〜６ｄには、これらのフィードローラ６ａ〜６ｄを手動で回転させる回転操作つまみ（図示せず）が連結されている。
【００１１】
前記上段トレイ２には、前記ロール紙５ａが搬送される個別搬送経路７ａと、前記ロール紙５ｂが搬送される個別搬送経路７ｂと、これらのロール紙５ａ，５ｂと下段トレイ３のロール紙５ｃ，５ｄとが搬送される共用搬送経路８ａとが形成されている。この共用搬送経路８ａ上には、ロール紙５ａ，５ｂの装着時にロール紙５ａ，５ｂの先端部を切断する固定刃９ａとスリッタ１０ａ、共用搬送経路８ａ内を搬送されるロール紙５ａ〜５ｄのサイズを検知するサイズセンサ１１、共用搬送経路８ａ内を搬送されて後述する画像形成部へ搬送されるロール紙５ａ〜５ｄを所定の長さに切断するカッタ１２、ロール紙５ａ〜５ｄを画像形成部へ向けて搬送させる中継ローラ対１３、ロール紙５ａ〜５ｄのカット長さを検知するカット長センサ１４が設けられている。前記カッタ１２は、固定刃１２ａとロータリカッタ１２ｂとにより形成されている。共用搬送経路８ａの先端部には出口１５が形成されている。
【００１２】
前記下段トレイ３には、前記ロール紙５ｃが搬送される個別搬送経路７ｃと、前記ロール紙５ｄが搬送される個別搬送経路７ｄと、これらのロール紙５ｃ，５ｄが搬送される共用搬送経路８ｂとが形成されている。この共用搬送経路８ｂ上には、ロール紙５ｃ，５ｄの装着時にロール紙５ｃ，５ｄの先端部を切断する固定刃９ｂとスリッタ１０ｂが設けられ、共用搬送経路８ｂの先端部には出口１６が形成されている。
【００１３】
前記上段トレイ２と下段トレイ３とを前記本体ケース１内に押し込んで図１に示す状態としたとき、前記共用搬送経路８ａ，８ｂが連通し、共用搬送経路８ａの出口１５が画像形成部の搬送経路に連通される。
【００１４】
前記本体ケース１内の上部には、感光体ドラム１７や現像器１８や転写用帯電器１９等を備えた画像形成部２０、この画像形成部２０へ給紙されたロール紙５ａ〜５ｄに転写されたトナー像を定着させる定着部２１等が設けられている。本体ケース１の上面部には、定着部２１を通過したロール紙５ａ〜５ｄが排紙される排紙トレイ２２が設けられている。
【００１５】
この複写機には、操作パネル上に設けられて各種キー（図示せず）からの入力データ、前記センサ１１，１４及び図示しない他のセンサからの検知データ、ＲＯＭに格納されている制御プログラム等に基づいて、前記フィードローラ６ａ〜６ｄや、前記カッタ１２や、前記画像形成部２０等を制御するマイクロコンピュータ構成の制御部（図示せず）が設けられている。
【００１６】
このような構成において、まず、トレイ２，３へのロール紙５ａ〜５ｄへの装着について説明する。トレイ２，３を本体ケース１から引き出し、ペーパースプール４ａ〜４ｄにセットしたロール紙５ａ〜５ｄを本体ケース１内の装着位置に装着する。この装着時において、各ロール紙５ａ〜５ｄの先端部をフィードローラ６ａ〜６ｄに挾持する。
【００１７】
各ロール紙５ａ〜５ｄの先端部をフィードローラ６ａ〜６ｄに挾持することによりロール紙５ａ〜５ｄの装着が終了した後に、回転操作つまみを回す。すると、各フィードローラ６ａ〜６ｄが回転して各ロール紙５ａ〜５ｄが繰り出される。上段トレイ２のロール紙５ａ，５ｂの先端部は共用搬送経路８ａを通って出口１５から出る。下段トレイ３のロール紙５ｃ，５ｄの先端部は共用搬送経路８ｂを通って出口１６から出る。
【００１８】
ロール紙５ａ〜５ｄの先端部が出口１５，１６から出た後に、マニュアルカットノブを操作し、スリッタ１０ａ，１０ｂを回転させながら固定刃９ａ，９ｂに沿って摺動させることによりロール紙５ａ〜５ｄの先端部を切断する。切断したロール紙５ａ〜５ｄの先端部を出口１５，１６から取り出す。
【００１９】
スリッタ１０ａ，１０ｄで切断したロール紙５ａ〜５ｄの先端部を出口１５，１６から取り出した後、上段トレイ２と下段トレイ３とを本体ケース１内に押し込む。上段トレイ２と下段トレイ３とを本体ケース１内に押し込むと、フィードローラ６ａ〜６ｄが順次駆動され、ロール紙５ａ〜５ｄがサイズセンサ１１の位置まで搬送されてそのサイズ検知が行われる。このとき、フィードローラ６ａ〜６ｄの回転量とペーパースプール４ａ〜４ｄの回転量とからロール紙５ａ〜５ｄの残量検知が行われる。
【００２０】
サイズ検知及び残量検知が行われたロール紙５ａ〜５ｄは、フィードローラ６ａ〜６ｄが逆転することによりその先端部が個別搬送経路７ａ〜７ｄの位置に戻るまで巻き戻され、その位置で待機する。つまり、ＲＯＭに格納されている制御プログラムに従い、サイズ検知、残量検知の実行をトリガとしてフィードローラ６ａ〜６ｄを逆転駆動させるという制御が行われる。いずれかの装着位置にロール紙５ａ〜５ｄが装着されていない場合には、フィードローラ６ａ〜６ｄが回転してもペーパースプール４ａ〜４ｄが回転しないため、ロール紙５ａ〜５ｄが無いことが検知され、サイズ検知は行われない。このようにして装着してある全てのロール紙５ａ〜５ｄについてサイズ検知と残量検知とが終了することにより、ロール紙５ａ〜５ｄが給紙可能状態となる。
【００２１】
定着部２１の温度が定着可能温度に上昇した後に原稿読取部に原稿をセットしてコピースタート釦を押すと、原稿サイズや変倍率等から選択された一つのロール紙５ａを給紙すべく一つのフィードローラ６ａが駆動される。フィードローラ６ａの駆動により給紙されるロール紙５ａは、共用搬送経路８ａ内を画像形成部２０へ向けて搬送される。そして、この搬送中に、ロール紙５ａの先端部がサイズセンサ１１により検知されるまでの時間を計時することによりロール紙５ａがジャムしたか否かが判定される。さらに、ロール紙５ａの先端部がサイズセンサ１１を通過した後にカット長センサ１４に検知されるまでの時間を計時することにより再度ジャムしたか否かが判定される。
【００２２】
このようにして搬送されたロール紙５ａが画像形成部２０に至ると、感光体ドラム１７の外周面に形成されたトナー像がロール紙５ａに転写され、ロール紙５ａが定着部２１を通過するときに転写されたトナー像が定着され、トナー像を定着されたロール紙５ａが排紙トレイ２２上に排紙される。ロール紙５ａの先端部がカット長センサ１４に検知された後にこのカット長センサ１４がカウントを開始し、このカウント計数に基づいた或るタイミングでロータリカッタ１２ｂが回転され、固定刃１２ａに当接することによりロール紙５ａが切断される。
【００２３】
このロール紙５ａを用いたコピーを引き続き行うという入力が行われている場合には、ロール紙５ａは引き続き画像形成部２０へ向けて搬送され、トナー像の転写、カット長センサ１４によるカウント、カッタ１２による切断等が繰り返される。
【００２４】
一方、ロール紙５ａがカッタ１２により切断された後、このロール紙５ａを用いた複写作業を終了する場合には、フィードローラ６ａが逆転してロール紙５ａが戻し方向へ搬送され、カッタ１２により切断されたロール紙５ａの切断部は共用搬送経路８ａから退避して個別搬送経路７ａ内へ戻される。つまり、ＲＯＭに格納されている制御プログラムに従い、ロール紙５ａに対するカッタ１２の最後の切断の実行をトリガとしてフィードローラ６ａを逆転駆動させるという制御が行われる。これにより、ロール紙５ａの切断部は熱慣性の大きいカッタ１２からの熱の影響を受けなくなり、複写機の電源投入時や電源を切った時に、ロール紙５ａの全体が均一な温度になってロール紙５ａの含水率も均一となり、含水率の不均一が原因となるロール紙５ａの波打ちの発生が防止される。従って、波打ちが発生したロール紙５ａにトナー像を転写して定着部２１を通過させることが原因となって定着部２１を通過したロール紙５ａにシワが寄るということが起こらず、ロール紙５ａに転写された画像の品質が良くなる。なお、スリッタ１０ａ，１０ｂはカッタ１２に比べると熱慣性が小さいので、ロール紙５ａの切断部をスリッタ１０ａ，１０ｂに対しては１０ｍｍ程度離反させれば、スリッタ１０ａ，１０ｂからの熱の影響を受けなくなる。
【００２５】
また、ロール紙５ａの切断部を共用搬送経路８ａから退避させて個別搬送経路７ａ内へ戻すことにより、他のロール紙５ｂ〜５ｄを共用搬送経路８ａ内を搬送させたときにこれらのロール紙５ｂ〜５ｄとロール紙５ａとが擦れ合って摩擦帯電することが起こらない。従って、摩擦帯電したロール紙５ａ〜５ｄが共用搬送経路８ａ内で静電吸着することによるジャムの発生や耳折れの発生等が防止される。
【００２６】
ロール紙５ａを個別搬送経路７ａ内へ巻き戻す方式は、フィードローラ６ａを逆転させ、その回転力をヒステリシスクラッチ（図示せず）に伝え、ペーパースプール４ａにその回転力を伝えるようにすれば、ペーパースプール４ａとフィードローラ６ａとの間でロール紙５ａを弛ませることなく巻き戻すことができる。他の巻き戻し方式としては、フィードローラ６ａのクラッチを切って、直接ペーパースプール４ａを逆転させるようにしてもよい。
【００２７】
ここで、給紙したロール紙５ａのカッタ１２による切断、切断後の巻き戻し等については、一つのロール紙５ａについてのみ説明したが、他のロール紙５ｂ〜５ｄについても同じである。
【００２８】
なお、本発明の適用は本実施の形態に限られるものではなく、ロール紙を給紙方向と戻し方向とへ搬送する正逆転自在なロール紙搬送手段と、このロール紙を切断するカッタとを有する給紙装置であれば、その形態の如何を問わず本発明が適用できるものである。
【００２９】
【発明の効果】
請求項１記載の発明によれば、カッタでロール紙を切断した後にロール紙搬送手段を逆転させることによりこのロール紙を戻し方向へ搬送してこのロール紙の切断部をカッタから所定寸法離反した位置であってスリッタより僅かに上流側となる位置に位置させるようにしたので、電源投入後の温度上昇時や電源を切った後の温度下降時において、ロール紙の切断部側が熱慣性の大きいカッタからの熱の影響を受けることを防止でき、ロール紙全体を均一な温度にしてロール紙全体の含水率を均一にすることができ、含水率の不均一が原因となるロール紙の波打ちの発生を防止でき、波打ちが発生してロール紙を給紙して画像形成を行った際に生じるロール紙のシワを防止でき、画像形成された画像の品質を高めることができる。
【００３０】
請求項２記載の発明によれば、カッタでロール紙を切断した後にロール紙搬送手段を逆転させることによりこのロール紙を戻し方向へ搬送してこのロール紙の切断部をカッタから所定寸法離反して共用搬送経路から退避する位置であってスリッタより僅かに上流側となる位置に位置させるようにしたので、電源投入後の温度上昇時や電源を切った後の温度下降時において、ロール紙の切断部側が熱慣性の大きいカッタからの熱の影響を受けることを防止でき、ロール紙全体を均一な温度にしてロール紙全体の含水率を均一にすることができ、含水率の不均一が原因となるロール紙の波打ちの発生を防止でき、波打ちが発生してロール紙を給紙して画像形成を行った際に生じるロール紙のシワを防止でき、画像形成された画像の品質を高めることができ、さらに、ロール紙の給紙時にそのロール紙が共用搬送経路内で他のロール紙と擦れ合って摩擦帯電することを防止でき、摩擦帯電したロール紙が静電吸着することが原因となるロール紙のジャムや耳折れ等を防止できる。
【図面の簡単な説明】
【図１】本発明の一実施の形態である給紙装置を含む複写機の全体構造を示す正面図である。
【符号の説明】
５ａ〜５ｄ    ロール紙
６ａ〜６ｄ    ロール紙搬送手段
８ａ，８ｂ    共用搬送経路
１２            カッタ
【図１】
0003605226.tif 000002